(57)【要約】  【課題】様々な周波数でやりとりされている無線信号に基づいて行われている盗撮，盗聴を効率的に発見すること。  【解決手段】無線検知器１では、ＲＦモジュール１０により受信される無線信号の周波数が、マイコン３０からの指令により順次切り替えられるため（Ｓ１１０）、その周波数の信号が受信されたか否かをマイコン３０側で効率的にチェックすることができる（Ｓ１２０〜Ｓ１４０）。そして、実際に受信された際には、その旨を報知することができる（Ｓ１８０）。【選択図】図６
2007184898.tif 000002
【特許請求の範囲】
【請求項１】
複数種類の周波数それぞれの無線信号を受信可能な受信部に対し、該受信部が受信可能な無線信号の周波数を複数種類の周波数それぞれに順次切り替える周波数切替手段と、
該周波数切替手段により切り替えられた周波数につき、該周波数の無線信号が前記受信部により受信された場合に、その旨の報知を行う報知手段と、を備えている
ことを特徴とする無線検知器。
【請求項２】
前記周波数切替手段により切り替えられた周波数につき、該周波数の無線信号が前記受信部により受信された場合に、該受信された無線信号を検波する検波手段を備えており、
前記報知手段は、前記検波手段により検波することにより得られる信号が、あらかじめ定められた報知対象を示す信号である場合に、その旨の報知を行う、ように構成されている
ことを特徴とする請求項１に記載の無線検知器。
【請求項３】
前記無線信号が前記受信部により受信された際に、該受信された無線信号の信号レベルを検出するレベル検出手段を備えており、
前記報知手段は、前記レベル検出手段により検出された信号レベルが所定のしきい値以上である場合に報知を行う、ように構成されている
ことを特徴とする請求項１または請求項２に記載の無線検知器。
【請求項４】
前記報知手段は、前記切り替えられた周波数の無線信号が前記受信部に所定期間にわたって継続的に受信されている場合に、その旨の報知を行う
ことを特徴とする請求項１から３のいずれかに記載の無線検知器。
【請求項５】
複数種類の周波数それぞれの無線信号を受信可能な受信部に対し、該受信部が受信可能な無線信号の周波数を順次切り替える周波数切替手段と、
該周波数切替手段により周波数が切り替えられる毎に、前記受信部に受信される無線信号の信号レベルを特定するレベル特定手段と、
該レベル特定手段により特定された信号レベルが所定の第１しきい値以上である場合に、その旨を報知する報知手段と、を備えている
ことを特徴とする無線検知器。
【請求項６】
前記周波数切替手段は、前記受信部が受信可能な無線信号の周波数を、所定の周波数帯域を複数に分割した場合における各周波数それぞれに昇順または降順で切り替える
ことを特徴とする請求項５に記載の無線検知器。
【請求項７】
前記周波数切替手段が周波数を順次切り替える過程において、該切り替えられる周波数それぞれの無線信号について前記レベル特定手段により特定される信号レベルが連続して前記第１しきい値以上となった回数をカウントする回数カウント手段を備えており、
前記報知手段は、前記カウント手段によりカウントされた回数が所定の回数に到達している場合に、信号レベルが第１しきい値以上である旨を報知する
ことを特徴とする請求項６に記載の無線検知器。
【請求項８】
前記回数カウント手段は、前記周波数切替手段が周波数を順次切り替える過程において、前記レベル特定手段により特定される信号レベルが前記第１しきい値以上である場合に回数をカウントし、信号レベルが前記第１しきい値未満であって該第１しきい値よりも小さい第２しきい値以上である場合に回数のカウントを行わず、また、信号レベルが前記第２しきい値未満である場合に回数のカウント値を初期値に戻す
ことを特徴とする請求項７に記載の無線検知器。
【請求項９】
前記受信部が受信可能な複数の周波数帯域それぞれについて、前記周波数切替手段による周波数帯域にわたる周波数の切り替え、前記レベル特定手段による信号レベルの特定、報知手段による報知を、繰り返させる繰り返し手段を備えている
ことを特徴とする請求項６から８のいずれかに記載の無線検知器。
【請求項１０】
請求項１から９のいずれかに記載の全ての手段として機能させるための各種処理手順をコンピュータシステムに実行させるためのプログラム。
【発明の詳細な説明】
【技術分野】
【０００１】
本発明は、無線信号を検知する無線検知器に関する。
【背景技術】
【０００２】
近年、周辺の画像や音声を無線信号により送信する機器による盗撮，盗聴が社会問題になっている。
このような盗撮，盗聴を防ぐための技術として、例えば、１以上の受信器それぞれから電界強度データを受信し、その電界強度データで示される電界強度を盗聴電波が存在しない状態での電界強度と比較することにより、盗聴電波の有無を監視する、といった技術が提案されている（特許文献１参照）。
【特許文献１】特開２００３−２６３６９２号公報
【発明の開示】
【発明が解決しようとする課題】
【０００３】
しかし、上述したような盗撮，盗聴に用いられる機器は、様々な周波数で無線信号をやりとりしているため、上述した技術であっても、特定の周波数により無線信号をやりとりしている機器を効率的に発見することは困難であるという問題がある。
【０００４】
本発明は、このような課題を解決するためになされたものであり、その目的は、盗撮，盗聴を効率的に発見するための技術を提供することである。
【課題を解決するための手段】
【０００５】
上記課題を解決するため請求項１に記載の無線検知器は、複数種類の周波数それぞれの無線信号を受信可能な受信部に対し、該受信部が受信可能な無線信号の周波数を複数種類の周波数それぞれに順次切り替える周波数切替手段と、該周波数切替手段により切り替えられた周波数につき、該周波数の無線信号が前記受信部により受信された場合に、その旨の報知を行う報知手段と、を備えている。
【０００６】
このように構成された無線検知器によれば、受信部により受信される無線信号の周波数が、周波数切替手段により順次切り替えられるため、その周波数の信号が受信されたか否かを効率的にチェックすることができる。そして、実際に受信された際には、その旨を報知手段により報知することができる。この報知により、ユーザによる盗撮や盗聴の効率的な発見を補助できる。
【０００７】
なお、この構成における報知手段は、所定の無線信号が受信された旨を報知することができれば、その具体的な構成については特に限定されない。例えば、無線検知器本体に取り付けたランプやＬＥＤを点灯させることにより報知を行う構成とすることが考えられる。また、無線検知器とデータ通信可能な他の装置宛に、所定の情報を送信することにより報知を行う構成とすることも考えられる。
【０００８】
また、上記構成においては、周波数切替手段により切り替えられた周波数の無線信号が受信されたことをもって、直ちに報知手段による報知を行う構成とすればよい。ただし、その周波数の無線信号が単なる搬送波であるような場合には、ここに盗撮，盗聴の根拠になりうる信号が変調されているときにのみ、報知を行うように構成することが望ましい。
【０００９】
そのためには、例えば、請求項２に記載のように、前記周波数切替手段により切り替えられた周波数につき、該周波数の無線信号が前記受信部により受信された場合に、該受信された無線信号を検波する検波手段を備えており、前記報知手段は、前記検波手段により検波することにより得られる信号が、あらかじめ定められた報知対象を示す信号である場合に、その旨の報知を行う、ように構成されているとよい。
【００１０】
このように構成すれば、無線信号が受信された際、そこに報知対象となる周波数の信号が変調されていた場合にのみ報知を行うことができる。そのため、報知対象を示す信号として、盗撮，盗聴の根拠となりうる映像信号や音声信号を示す特定周波数の信号を設定しておくことにより、無線信号に盗撮，盗聴の根拠になりうる信号が変調されているといえるときにのみ報知を行うことができる。
【００１１】
また、上述した報知手段は、無線信号が受信されたことをもって、その信号レベルに拘わらず報知を行うような構成とすればよい。ただ、その信号レベルが低ければ、無線信号にてやりとりされる画像や音声などが正確に得られない可能性が高いため、そのような場合に報知をしないようにすることも考えられる。
【００１２】
そのためには、例えば、請求項３に記載のように、前記無線信号が前記受信部により受信された際に、該受信された無線信号の信号レベルを検出するレベル検出手段を備えており、前記報知手段は、前記レベル検出手段により検出された信号レベルが所定のしきい値以上である場合に報知を行う、ように構成することが考えられる。
【００１３】
このように構成すれば、受信部により受信された無線信号の信号レベルが所定のしきい値以上である場合のみ、報知手段による報知を行うことができる。そのため、そのしきい値として、無線信号にてやりとりされる画像や音声などが正確に得られるレベルを設定しておくことで、画像や音声などが正確に得られない可能性の高い（つまり、盗撮，盗聴の可能性が低い）無線信号に基づいて無用な報知を行ってしまうことを防止することができる。
【００１４】
また、上述した報知手段は、無線信号が受信されたことをもって、直ちに報知を行うような構成とすればよい。ただ、そのような無線信号が何らかのトラブルにより突発的に発生した信号には、画像や音声をやりとりするための信号でない可能性が高いため、そのような場合に報知をしないようにすることも考えられる。
【００１５】
そのためには、例えば、請求項４に記載のように、報知手段が、前記切り替えられた周波数の無線信号が前記受信部に所定期間にわたって継続的に受信されている場合に、その旨の報知を行う、ように構成することが考えられる。
【００１６】
このように構成すれば、受信部により無線信号が受信されたら、その受信が所定期間にわたり継続した場合にのみ、報知を行うことができる。そのため、その所定期間として、突発的に発生する信号を充分に排除できる程度の期間を設定しておくことで、画像や音声をやりとりするための信号である可能性の低い無線信号に基づいて無用な報知を行ってしまうことを防止することができる。
【００１７】
また、上記課題を解決するため請求項５に記載の無線検知器は、複数種類の周波数それぞれの無線信号を受信可能な受信部に対し、該受信部が受信可能な無線信号の周波数を順次切り替える周波数切替手段と、該周波数切替手段により周波数が切り替えられる毎に、前記受信部に受信される無線信号の信号レベルを特定するレベル特定手段と、該レベル特定手段により特定された信号レベルが所定の第１しきい値以上である場合に、その旨を報知する報知手段と、を備えている。
【００１８】
このように構成された無線検知器によれば、受信部により受信される無線信号の周波数を周波数切替手段により順次切り替えることができるため、それら周波数の信号が受信されたか否かを効率的にチェックすることができる。そして、切り替えられる周波数それぞれにつき、受信部で受信される無線信号の信号レベルが所定の第１しきい値以上である場合には、その旨を報知手段により報知することができる。この報知により、ユーザによる盗撮や盗聴の効率的な発見を補助することができる。
【００１９】
なお、この構成における報知手段は、所定の無線信号が受信された旨を報知することができれば、その具体的な構成については特に限定されない。例えば、無線検知器本体に取り付けたランプやＬＥＤを点灯させることにより報知を行う構成とすることが考えられる。また、無線検知器とデータ通信可能な他の装置宛に、所定の情報を送信することにより報知を行う構成とすることも考えられる。
【００２０】
また、この報知手段が報知を行う基準となる「第１しきい値」とは、無線信号にてやりとりされる画像や音声などを特定できる程度の信号レベルに設定しておけばよい。
また、上述した周波数切替手段は、受信部が受信可能な無線信号の周波数であれば、どのような順番で切り替えるように構成してもよい。
【００２１】
例えば、請求項６に記載のように、前記受信部が受信可能な無線信号の周波数を、所定の周波数帯域を複数に分割した場合における各周波数それぞれに昇順または降順で切り替えるように構成することが考えられる。
【００２２】
このように構成すれば、複数種類の周波数の無線信号それぞれが、第１のしきい値以上の信号レベルにて受信されているか否かを、昇順または降順でチェックすることができる。
【００２３】
なお、このように、昇順または降順でチェックを行う構成においては、レベル特定手段により特定される信号レベルが第１しきい値を以上となる毎に、報知手段による報知が行われるように構成してもよいし、レベル特定手段により特定される信号レベルが第１しきい値以上となった回数に応じて報知手段による報知が行われるように構成してもよい。
【００２４】
特に、この後者の場合には、所定の周波数帯域全体において、レベル特定手段により特定される信号レベルが第１しきい値以上となった回数が所定回数に到達していれば、その第１しきい値以上となった周波数が連続する周波数であるか否かに拘わらず、報知が行われるように構成すればよい。
【００２５】
このためには、前記周波数切替手段が周波数を順次切り替える過程において、該切り替えられる周波数それぞれの無線信号について前記レベル特定手段により特定される信号レベルが前記第１しきい値以上となった回数をカウントする回数カウント手段を備え、前記カウント手段によりカウントされた回数が所定の回数に到達している場合に、前記報知手段が、信号レベルが第１しきい値以上である旨を報知する、ように構成すればよい。
【００２６】
このように構成すれば、レベル特定手段により特定される信号レベルが第１しきい値以上となった回数が所定回数に到達した場合に、無線信号の信号レベルが第１しきい値以上である旨を報知することができる。
【００２７】
また、報知手段による報知は、第１しきい値以上となった周波数が連続する周波数である場合にのみ行われるように構成してもよく、このためには、上記構成を、例えば、請求項７に記載のように構成するとよい。
【００２８】
請求項７に記載の無線検知器は、前記周波数切替手段が周波数を順次切り替える過程において、該切り替えられる周波数それぞれの無線信号について前記レベル特定手段により特定される信号レベルが連続して前記第１しきい値以上となった回数をカウントする回数カウント手段を備えて、前記カウント手段によりカウントされた回数が所定の回数に到達している場合に、前記報知手段が、信号レベルが第１しきい値以上である旨を報知する。
【００２９】
このように構成すれば、レベル特定手段により特定される信号レベルが第１しきい値以上となった回数が連続して所定回数となった場合に、無線信号の信号レベルが第１しきい値以上である旨を報知することができる。
【００３０】
また、この構成においては、カウント手段が、レベル特定手段により特定される信号レベルが連続して第１しきい値以上となった回数をカウントしているため、その特定される信号レベルが何らかの外乱で第１しきい値よりも僅かに小さな信号レベルになった場合であっても、カウント手段によるカウントがやり直されてしまう。その結果、所定の周波数帯域の無線信号においてその信号レベルが本来第１しきい値以上であるにも拘わらず、その旨を報知することができなくなってしまう恐れがある。
【００３１】
このようなことを防止するためには、上記構成を、例えば、請求項８に記載の無線検知器のように構成するとよい。
この無線検知器において、前記回数カウント手段は、前記周波数切替手段が周波数を順次切り替える過程において、前記レベル特定手段により特定される信号レベルが前記第１しきい値以上である場合に回数をカウントし、信号レベルが前記第１しきい値未満であって該第１しきい値よりも小さい第２しきい値以上である場合に回数のカウントを行わず、また、信号レベルが前記第２しきい値未満である場合に回数のカウント値を初期値に戻す、ように構成されている。
【００３２】
このように構成すれば、レベル特定手段により特定される信号レベルが第１しきい値よりも小さな信号レベルであっても、その信号レベルが第１しきい値よりも小さい第２しきい値以上であれば、カウント手段によるカウントがやり直されてしまうことはない。
【００３３】
そのため、第２しきい値として何らかの外乱で第１しきい値よりも小さくなりうる信号レベルを設定しておくことにより、そのような外乱の影響を抑えて、所定の周波数帯域の無線信号においてその信号レベルが第１しきい値以上である旨を報知できなくなってしまうことを防止できる。
【００３４】
また、上述のように、所定の周波数帯域にわたって受信部の切り替えを行う構成においては、単一の周波数帯域のみについてその切り替えを実施するように構成すればよいが、複数の周波数帯域それぞれについて、その切り替えを実施するように構成してもよい。
【００３５】
このためには、請求項６から８のいずれかに記載の構成を、例えば、請求項９に記載の無線検知器のように構成するとよい。
この無線検知器においては、前記受信部が受信可能な複数の周波数帯域それぞれについて、前記周波数切替手段による周波数帯域にわたる周波数の切り替え、前記レベル特定手段による信号レベルの特定、報知手段による報知を、繰り返させる繰り返し手段を備えている。
【００３６】
このように構成すれば、複数の周波数帯域それぞれについて、その周波数帯域を複数に分割した場合における各周波数それぞれへの切り替えだけでなく、信号レベルの特定および報知手段による報知を繰り返し実施することができる。
【００３７】
なお、この構成における「複数の周波数帯域」は、それぞれ一部の周波数が重なっている周波数帯域であってもよいし、それぞれ全く周波数が重ならない周波数大域であってもよい。
【００３８】
また、請求項１０に記載のプログラムは、請求項１から９のいずれかに記載の全ての手段として機能させるための各種処理手順をコンピュータシステムに実行させるためのプログラムである。
【００３９】
このプログラムにより制御されるコンピュータシステムは、請求項１から９のいずれかに記載の無線検知器の一部を構成することができる。
なお、このようなプログラムは、各種記録媒体や通信回線を介して無線検知器やこれを利用するユーザに提供されるものである。
【発明を実施するための最良の形態】
【００４０】
以下に本発明の実施形態を図面と共に説明する。
（１）第１実施形態
（１−１）全体構成
無線検知器１は、図１に示すように、ＲＦモジュール１０，フィルタ２０，マイクロコンピュータ（マイコン）３０，警報ＬＥＤ４２，電源ＬＥＤ４４，出力回路５０，通信部６０，設定スイッチ（ＳＷ）７０，電源回路８０などを備えている。
【００４１】
ＲＦモジュール１０は、アンテナを介して所定周波数帯域（本実施形態においては、９６０ＭＨｚ〜２４５０ＭＨｚ）の無線信号を受信する受信部１１０，受信部１１０により受信された無線信号のうちマイコン３０から指令された周波数成分を選択的に出力（選局）する選局部１２０，選局部１２０から出力される信号の信号レベル（電界強度）を検出するＲＳＳＩ（Recieving Signal Strength Indicator ）出力回路１３０，選局部１２０から出力される信号を検波する検波部１４０などからなる。
【００４２】
フィルタ２０は、検波部１４０により検波された信号のうち、特定の映像信号に相当する周波数帯域（本実施形態においては、１５．７５ｋＨｚ）を通過させるフィルタである。
【００４３】
マイコン３０は、内蔵されたメモリに記憶されたプログラムに従って無線検知器１全体の動作を制御する。
警報ＬＥＤ４２は、マイコン３０からの指令を受けて点灯または消灯するＬＥＤであり、電源ＬＥＤ４４は、無線検知器１が起動している状態において点灯するＬＥＤである。
【００４４】
出力回路５０は、マイコン３０からの指令を受けて、無線検知器１外部（外部警告装置２００）への報知用信号の出力を制御する。
通信部６０は、無線検知器１とデータ通信可能な他の装置との間におけるデータ通信を制御する。
【００４５】
設定スイッチ７０は、通信部６０を介してマイコン３０のファームウェアを更新する際に操作するスイッチである。
電源回路８０は、外部電源（ＡＣアダプタ）に基づいて電源を生成し、その電源を無線検知器１の構成要素それぞれに供給する。
【００４６】
なお、本無線検知器１は、図２に示す筐体に実装される。また、本無線検知器１の一般仕様を図３，図４に示し、動作仕様を図５に示す。
（１−２）マイコンによる処理
以下に、無線検知器１が起動した以降、マイコン３０により実行される処理の手順を、図６に基づいて説明する。
【００４７】
まず、周波数テーブルに登録された周波数のうち、以降の処理で処理対象となっていない周波数が選択される（Ｓ１１０）。本実施形態において、マイコン３０の内蔵メモリには、９６０ＭＨｚ〜２４５０ＭＨｚを所定周波数間隔で分割した場合における複数の周波数それぞれが登録された周波数テーブルが記憶されている。そのため、このＳ１１０では、周波数テーブルを参照して周波数の選択が行われる。なお、このＳ１１０にて全ての周波数が処理対象となった後は、このＳ１１０が次に行われるときに、全ての周波数が処理対象となっていないものとしてクリアされた後、再度、処理対象となっていない周波数の選択が行われることとなる。
【００４８】
次に、Ｓ１１０で選択された周波数がスキャンされる（Ｓ１２０）。ここでは、Ｓ１１０で選択された周波数を選局すべき旨が選局部１２０に対してなされる。この指令を受けた選局部１２０は、その指令に従ってＳ１１０で選択された周波数の選局を行い、その周波数の信号をＲＳＳＩ出力回路１３０および検波部１４０それぞれに出力するようになる。
【００４９】
次に、ＲＳＳＩ出力回路１３０から信号の出力がなされたか否かがチェックされ（Ｓ１３０）、出力がなされていないと判定された場合（Ｓ１３０：ＮＯ）、Ｓ１１０へ戻る。一方、出力がなされていると判定された場合（Ｓ１３０：ＹＥＳ）、ＲＳＳＩ出力回路１３０により出力された信号の信号レベル（電界強度）がチェックされる（Ｓ１４０）。ここでは、画像や音声を正確に得る（解析して画像や音声を特定する）ことのできる信号レベルを「しきい値」として信号レベルのチェックが行われる。
【００５０】
このＳ１４０で、ＲＳＳＩ出力回路１３０により検出された信号の信号レベルが所定のしきい値以上の信号レベルでないと判定された場合（Ｓ１４０：ＮＯ）、プロセスがＳ１１０へ戻る。
【００５１】
一方、Ｓ１４０で、ＲＳＳＩ出力回路１３０により出力された信号の信号レベルが所定のしきい値以上の信号レベルであると判定された場合（Ｓ１４０：ＹＥＳ）、報知条件を充足しているか否かがチェックされる（Ｓ１５０）。ここでは、直前に行われたＳ１２０以降、Ｓ１３０，Ｓ１４０共に「ＹＥＳ」と判定されてＳ１５０に到達した回数がカウントされると共に、そのカウント値が所定回数（例えば、５回）に到達していることをもって、報知条件を充足していると判定される。なお、上記カウント値が所定回数に到達する間での期間は、何らかの要因により突発的に発生する無関係な信号を充分に排除できる程度の期間として定められたものである。
【００５２】
このＳ１５０で、報知条件を充足していないと判定された場合（Ｓ１５０：ＮＯ）、プロセスがＳ１２０へ戻る。
一方、Ｓ１５０で、報知条件を充足していると判定された場合（Ｓ１５０：ＹＥＳ）、上記カウント値がリセットされたうえで、オプション設定がＯＮになっているか否かがチェックされる（Ｓ１６０）。本実施形態においては、マイコン３０の内蔵メモリに、フィルタ２０からの信号による判定を行うべき旨を示す情報が記憶されている場合に、オプション設定がＯＮになっていると判定される。
【００５３】
このＳ１６０で、オプション設定がＯＮになっていると判定された場合（Ｓ１６０：ＹＥＳ）、フィルタ２０から信号が入力されているか否かがチェックされる（Ｓ１７０）。
このＳ１７０で、フィルタ２０からの信号が入力されていないと判定された場合（Ｓ１７０：ＮＯ）、プロセスがＳ１１０へ戻る。
【００５４】
一方、Ｓ１７０で、フィルタ２０からの信号が入力されていると判定された場合（Ｓ１７０：ＹＥＳ）、報知が開始される（Ｓ１８０）。ここでは、警報ＬＥＤ４２が点灯させられると共に、出力回路５０を介しての無線検知器１外部への報知用信号の出力が行われることによって、報知が行われる。なお、この報知用信号は、無線検知器１と接続された外部警告装置２００へと出力され、この報知用信号を受けた外部警告装置２００が、その仕様に応じた警告を行う。
【００５５】
次に、Ｓ１８０による報知が開始された以降、所定の報知時間（例えば、１０秒）を経過したか否かがチェックされる（Ｓ１９０）。
このＳ１９０で、所定の報知時間が経過していないと判定された場合（Ｓ１９０：ＮＯ）、プロセスがＳ１８０へ戻り、報知が継続される。
【００５６】
一方、Ｓ１９０で、所定の報知時間が経過していると判定された場合（Ｓ１９０：ＹＥＳ）、あらかじめ定められた待機時間（例えば、１０秒）の待機がなされた後（Ｓ２００）、プロセスがＳ１１０へ戻る。
【００５７】
また、上述したＳ１６０で、オプション設定がＯＮになっていないと判定された場合（Ｓ１６０：ＮＯ）、Ｓ１７０が行われることなく、プロセスがＳ１８０へ移行して以降の処理が行われる。
（１−３）作用，効果
このように構成された無線検知器１によれば、ＲＦモジュール１０により受信される無線信号の周波数が、マイコン３０からの指令により順次切り替えられるため、その周波数の信号が受信されたか否かをマイコン３０側で効率的にチェックすることができる。そして、実際に受信された際には、その旨を図６のＳ１８０にて報知することができる。この報知により、ユーザによる盗撮や盗聴の効率的な発見を補助できる。
【００５８】
また、無線検知器１に対してオプション設定がなされていれば（図６のＳ１６０で「ＹＥＳ」）、受信部１１０により受信される無線信号が搬送波であるような場合には、そこに報知対象となる周波数成分が変調されている信号の有無を、フィルタ２０からの信号出力でチェックすることができる（同図Ｓ１７０）。本実施形態において、フィルタ２０は、無線信号を検波してなる信号のうち、映像信号に相当する周波数成分を通過させるものであるため、その信号出力があった場合には、これを盗撮の根拠として報知を行うことができる。
【００５９】
また、マイコン３０は、受信部１１０にて受信された無線信号の信号レベルがしきい値以上である場合にのみ（図６のＳ１４０で「ＹＥＳ」）、その後の処理を経て報知を実現することができる。本実施形態においては、そのしきい値として、無線信号にてやりとりされる画像や音声などが正確に得られると想定されるレベルが設定されているため、画像や音声などが正確に得られない可能性の高い（つまり、盗撮，盗聴の可能性が低い）無線信号に基づいて無用な報知を行ってしまうことを防止することができる。
【００６０】
また、マイコン３０は、受信部１１０により無線信号が受信されたとしても、その受信が報知条件を充足するまでの間継続した場合にのみ（図６のＳ１５０で「ＹＥＳ」）、その後の処理を経て報知を実現することができる。本実施形態では、報知条件が充足されるまでの期間として、何らかの要因により突発的に発生する信号を充分に排除できる程度の期間が設定されているため、画像や音声をやりとりするための信号である可能性の低い無線信号に基づいて無用な報知を行ってしまうことを防止することができる。
（１−４）変形例
以上、本発明の実施の形態について説明したが、本発明は、上記実施形態に何ら限定されることはなく、本発明の技術的範囲に属する限り種々の形態をとり得ることはいうまでもない。
【００６１】
例えば、上記実施形態においては、フィルタ２０が映像信号に相当する周波数帯域を通過させる構成となっている場合を例示した。しかし、このフィルタ２０については、盗聴の根拠となりうる音声信号の周波数成分を通過させる構成としてもよい。
（１−５）本発明との対応関係
以上説明した実施形態において、検波部１４０は本発明における検波手段である。
【００６２】
また、図６のＳ１１０，Ｓ１２０は本発明における周波数切替手段であり、同図Ｓ１８０は本発明における報知手段であり、同図Ｓ１３０，Ｓ１４０は本発明におけるレベル検出手段である。
（２）第２実施形態
（２−１）全体構成
本実施形態における無線検知器２は、第１実施形態における無線検知器１とその一部構成要素が異なるだけであるため、同じ構成要素については同じ符号を付して詳細な説明を省略すると共に、その相違点についてのみ詳述する。
【００６３】
この無線検知器２は、図７に示すように、ＲＦモジュール１０，マイコン３０，警報ＬＥＤ４２，電源ＬＥＤ４４，異常ＬＥＤ４６，出力回路５０，通信部６０，電源回路８０，メディアドライブ９０などを備えている。
【００６４】
ＲＦモジュール１０は、受信部１１０，選局部１２０，ＲＳＳＩ出力回路１３０の他、マイコン３０からの指令により選局部１２０を制御すると共にＲＳＳＩ出力回路１３０からの出力結果をマイコン３０に通知するＲＦコントロール回路１５０などからなる。
【００６５】
警報ＬＥＤ４２，電源ＬＥＤ４４，異常ＬＥＤ４６は、それぞれＬＥＤからなるランプと、このランプを駆動する駆動回路とで構成され、マイコン３０からの指令を受けた駆動回路によりランプの点灯および消灯が制御される。
【００６６】
出力回路５０は、マイコン３０からの指令を受けている状況において閉鎖される接点（Ｎｏｍａｌ  Ｏｐｅｎ）からなるＡ接点出力回路５２と、指令を受けている状況において開放される接点（Ｎｏｍａｌ  Ｃｏｎｔａｃｔ）からなるＢ接点出力回路５４と、で構成される。
【００６７】
電源回路８０には、後述する電源スイッチ８２が設けられており、この電源スイッチ８２が操作されることにより、各構成要素への電源供給の開始による無線検知器２の起動と、各構成要素への電源供給の停止による無線検知器２の動作終了と、が実現される。
【００６８】
メディアドライブ９０は、メモリカードなどのように無線検知器２本体に対して着脱可能な外部記憶装置（メモリ９２）との間で通信可能であって、そのメモリ９２に対するデータの記憶および読み出しをマイコン３０からの指令を受けて制御する。本実施形態において、このメモリ９２は、後述する無線検知処理をマイコン３０に実行させるためのプログラム，および，この無線検知処理において参照される設定データがあらかじめ記憶された状態でメディアドライブ９０にセットされるものである。
【００６９】
ここで、上述した「設定ファイル」とは、図８に示すように、グループ管理セッション（Ｓｅａｒｃｈ＿Ｇｒｏｕｐ）と、サーチバンク設定セッション（Ｓｅａｒｃｈ＿Ｂａｎｋ）と、からなるデータである。
【００７０】
まず、グループ管理セッション（Ｓｅａｒｃｈ＿Ｇｒｏｕｐ）は、信号として検出すべき最低の信号レベル（１から２５５Ｖ／ｍ）を示す変数「Ｌｅｖｅｌ＿ｓｑｌ」、後述する処理で警告を行う条件を示す変数「ａｌａｒｍ＿ｏｎ＿ｃｏｕｎｔ」などからなる。これらのうち、変数「ａｌａｒｍ＿ｏｎ＿ｃｏｕｎｔ」には、あらかじめ所定の数字（本実施形態では、１から１０のうちのいずれか）がセットされており、この数字は、後述のように警告を行うための条件となるものである。
【００７１】
また、サーチバンク設定セッション（Ｓｅａｒｃｈ＿Ｂａｎｋ）は、所定の周波数帯域それぞれに関するサーチ情報（サーチバンク）を、各周波数帯域それぞれに対応するデータレコードとして登録したデータテーブルとして構成されている。
【００７２】
このサーチ情報には、各サーチ情報の通し番号およびこのサーチ情報に基づいて後述の処理を行うか否かを示す「使用バンク」、周波数帯域を示す「下限周波数」と「上限周波数」、ＲＦモジュール１０により受信または復調すべき信号の変調方式を示す「モード」、後述する処理で信号の検出を行う周波数の間隔を示す「ステップ周波数」、注意を促すべき信号レベルのしきい値を示す「ワーニングしきい値」、警告すべき信号レベルのしきい値を示す「アラームしきい値」、後述の処理において無線検知器２の電源をオフにすべきか否かを示す「電源ＯＦＦ」などがある。
【００７３】
なお、上述した「アラームしきい値」とは、その信号レベルにより特定周波数の無線信号を受信した場合に、その無線信号で示される情報の内容（画像や音声）を特定できる程度の信号レベルを示す値のことである。また、上述した「ワーニングしきい値」とは、アラームしきい値の信号が何らかの外乱で小さい信号レベルとなってしまう場合におけるその信号レベルとして想定される値のことである。
【００７４】
以上説明した無線検知器２は、図９に示すように、筐体３００内に収納された状態で使用される。この筐体３００において、正面パネル３１０には、メディアドライブ９０へのメモリ９２の着脱を実現するための孔３１１，電源スイッチ８２を筐体３００外部へ露出させるための孔３１３，電源ＬＥＤ４４による光を筐体３００外部に導くための孔３１５，異常ＬＥＤ４６による光を筐体３００外部に導くための孔３１７，警報ＬＥＤ４２による光を筐体３００外部に導くための孔３１９がそれぞれ形成されている。
【００７５】
また、背面パネル３２０には、受信部１１０に接続されたアンテナを筐体３００外部に導くための孔３２２、コネクタ６２を筐体３００外部に露出させるための孔３２４、出力回路５０の有するコネクタ５６を筐体３００の外部に露出させるための孔３２６、電源回路８０の有するコネクタ８４を筐体３００外部に露出させるための孔３２８がそれぞれ形成されている。
【００７６】
なお、本無線検知器２の一般仕様を図１０に示す。この一般仕様におけるパラメータは、本発明の技術的範囲に属する一例にすぎないため、各パラメータを技術的範囲に属する限りにおいて変更できることはいうまでもない。
（２−２）マイコンによる無線検知処理
以下に、無線検知器２が起動した以降、マイコン３０により実行される無線検知処理の手順を図１１に基づいて説明する。この無線検知処理は、あらかじめメモリ９２に記憶されたプログラムを読み出したうえで実行されるものである。つまり、マイコン３０は、その起動直後に、メモリ９２のうち、上記プログラムに対応する記憶領域を最初に読み出すように設定されている。
【００７７】
この無線検知処理が起動すると、まず、初期化処理が行われる（ｓ３１０）。ここでは、各種変数やパラメータの初期化、各ＬＥＤ部の動作確認（所定パターンでの点灯，点滅）、電源ＬＥＤ４４におけるランプの点灯、警報ＬＥＤ４２および異常ＬＥＤ４６におけるランプの消灯などの後、メモリ９２における設定ファイルへのアクセスが行われる。なお、警報ＬＥＤ４２および異常ＬＥＤ４６におけるランプの消灯は、マイコン３０から各ＬＥＤに対してランプを消灯すべき旨の指令がなされることで実現される。
【００７８】
次に、ｓ３１０にてアクセスされた設定ファイルが適切な形式にて記述されているか否かがチェックされる（ｓ３２０）。ここでは、メモリ９２に設定ファイルが記憶されているか否かのチェックを経て、その設定ファイルが適切な形式にて記述されているか否かがチェックされる。
【００７９】
このｓ３２０で、設定ファイルが記憶されていない,または,記憶されている設定ファイルが適切な形式にて記述されていないと判定された場合（ｓ３２０：ＮＯ）、異常ＬＥＤ４６のランプが点滅を開始した後（ｓ３３０）、本無線検知処理が終了する。このｓ３３０では、マイコン３０から異常ＬＥＤ４６に対してランプを点滅させるべき旨の指令がなされ、この指令を受けた異常ＬＥＤ４６が駆動回路によりランプを点滅させる。
【００８０】
こうして異常ＬＥＤ４６のランプが点滅を開始した後、ユーザは、メモリ９２に適切な設定ファイルを記憶させたり、メモリ９２に記憶された設定ファイルを適切な形式で記述されたものに更新する作業を行った後、電源スイッチ８２を操作して本無線検知器２を再起動（リスタート）させることにより、本無線検知処理を再度実行させることとなる。
【００８１】
また、上述したｓ３２０で、設定ファイルが適切な形式にて記述されていると判定された場合（ｓ３２０：ＹＥＳ）、その設定ファイルがメモリ９２から読み出される（ｓ３５０）。
【００８２】
次に、ｓ３５０にて読み出された設定ファイルの「サーチバンク設定セッション」におけるサーチ情報の中に、未処理のサーチ情報（以降の処理で参照されていないサーチ情報）が存在しているか否かがチェックされる（ｓ３６０）。
【００８３】
このｓ３６０で未処理のサーチ情報が存在していると判定された場合（ｓ３６０：ＹＥＳ）、それら未処理のサーチ情報の中から、以降の処理で参照すべきサーチ情報が抽出される（ｓ３７０）。ここでは、以降の処理で参照されていないサーチ情報のうち、「使用バンク」で示される通し番号の最も小さいサーチ情報が抽出される。
【００８４】
次に、初期値「０」の変数Ｆに、ｓ３７０にて抽出されたサーチ情報の「下限周波数」がセットされる（ｓ３８０）。
次に、ｓ３７０にて抽出されたサーチ情報に基づく全ての周波数への切り替えが終了しているか否かがチェックされる（ｓ３９０）。ここでは、変数Ｆにセットされている値が、ｓ３７０にて抽出されたサーチ情報の「上限周波数」異常の値となっている場合に、全ての周波数への切り替えが終了していると判定される。
【００８５】
このｓ３９０で、サーチ情報に基づく全ての周波数への切り替えが終了していないと判定された場合（ｓ３９０：ＮＯ）、ＲＦモジュール１０に対して、受信すべき信号の周波数を、この時点で変数Ｆにセットされている周波数へと切り替えるべき旨が指令される（ｓ４００）。この指令を受けたＲＦモジュール１０は、その指令に係る周波数成分を選局部１２０により選択的に出力させ、その出力信号の信号レベルをＲＳＳＩ出力回路１３０により検出した後、その検出結果をＲＦコントロール回路１５０により通知してくる。
【００８６】
また、このｓ４００では、メモリ９２に記憶されたログテーブルに、その切り替えを指令した周波数を登録する処理も併せて行われる。このログテーブルとは、サーチ情報毎に用意された（該当するサーチ情報に対応するものが用意されていない場合には、このｓ４００にて生成される）ものであって、サーチ情報それぞれについて切り替えを指令した周波数毎の検出結果，その検出結果で示される信号レベルとしきい値との関係（以降、「しきい値関係」という），および，後述する報知の開始・終了タイミング（以降、「報知タイミング」という）と、検出結果で示される信号レベルの累積値と、を登録するためのデータテーブルである。そして、このｓ４００では、該当するログテーブルに対し、切り替えを指令した周波数が登録されることとなる。
【００８７】
こうして、ｓ４００により周波数の切り替えが指令された後、ＲＦコントロール回路１５０から通知される検出結果が取得される（ｓ４１０）。この検出結果は、ｓ４００による指令に係る周波数成分の信号についての信号レベルを示すものである。
【００８８】
また、このｓ４１０では、該当するログテーブルに登録されている周波数のうち、直前に行われたｓ４００にて切り替えが指令された周波数に対応する検出結果として、その取得された検出結果（で示される信号レベル）を登録する処理が併せて行われる。
【００８９】
次に、このｓ４１０にて取得された検出結果で示される信号レベルが、該当するログテーブルにおける累積値に加算される（ｓ４２０）。
次に、ｓ４１０にて取得された検出結果で示される信号レベルがチェックされ（ｓ４３０，ｓ４４０）、その信号レベルが、「アラームしきい値」以上であると判定された場合（ｓ４３０：ＹＥＳ，ｓ４４０：ＹＥＳ）、初期値「０」の変数Ｎがインクリメント（Ｎ＋１→Ｎ）される（ｓ４５０）。この変数Ｎは、信号レベルが「アラームしきい値」以上となった回数をセットするためのものである。また、このｓ４５０では、該当するログテーブルに登録されている「しきい値関係」のうち、直前に行われたｓ４００にて切り替えが指令された周波数に対応する「しきい値関係」として、「アラームしきい値以上」である旨を登録する処理が併せて行われる。
【００９０】
また、検出結果で示される信号レベルが、「ワーニングしきい値以上」でないと判定された場合（ｓ４３０：ＮＯ）、上記変数Ｎが初期化される（ｓ４６０）。ここでは、変数Ｎに「０」をセットすることにより初期化が行われる。また、このｓ４６０では、該当するログテーブルに登録されている「しきい値関係」のうち、直前に行われたｓ４００にて切り替えが指令された周波数に対応する「しきい値関係」として、「ワーニングしきい値未満」である旨を登録する処理が併せて行われる。
【００９１】
そして、検出結果で示される信号レベルが、「ワーニングしきい値」以上であるが、「アラームしきい値」以上ではないと判定された場合（ｓ４３０：ＹＥＳ，ｓ４４０：ＮＯ）、各ＬＥＤおよび出力回路５０の動作状態が初期状態に戻される（ｓ４７０）。
【００９２】
このｓ４７０では、まず、マイコン３０から、異常LED４６,警告ＬＥＤ４２に対して消灯すべき旨の指令がなされ、この指令を受けた各ＬＥＤ部が駆動回路によりランプを消灯させることで、各ＬＥＤ部の動作状態が初期状態へと戻る。そして、マイコン３０からＡ接点出力回路５２，Ｂ接点出力回路５４それぞれに対して指令がなされている場合であれば、その指令が行われなくなることにより、各出力回路の動作状態が初期状態へと戻る。
【００９３】
また、このｓ４７０では、該当するログテーブルに登録されている「しきい値関係」のうち、直前に行われたｓ４００にて切り替えが指令された周波数に対応する「しきい値関係」として、「ワーニングしきい値以上ワーニングしきい値未満」である旨を登録する処理と、同ログテーブルに登録されている「警告タイミング」のうち、直前に行われたｓ４００にて切り替えが指令された周波数に対応する「警告タイミング」として、「警告を終了」した旨を登録する処理と、が併せて行われる。
【００９４】
こうして、ｓ４５０〜ｓ４７０のいずれかが行われた後、上記変数Ｎにセットされている値がチェックされ（ｓ４８０）、その値が、ｓ３５０にて読み出された設定ファイルの「グループ管理セッション」における変数「ａｌａｒｍ＿ｏｎ＿ｃｏｕｎｔ」の値以上であると判定された場合（ｓ４８０：ＹＥＳ）、各ＬＥＤおよび出力回路５０の動作状態が報知状態へと変更され（ｓ４９０）、所定時間（例えば、５００ｍｓ）の待機がなされた後で（ｓ５００）、次の処理（ｓ５１０）へとプロセスが移行する。
【００９５】
このｓ４９０では、まず、マイコン３０から、警報ＬＥＤ４２に対して点灯すべき旨の指令がなされ、この指令を受けた警報ＬＥＤ４２が駆動回路によりランプを点灯させることで、この警報ＬＥＤ４２の動作状態が報知状態へと変更される。そして、マイコン３０からＡ接点出力回路５２，Ｂ接点出力回路５４それぞれに対して所定パターンで接点を開放または閉鎖させるべく指令がなされ、この指令を受けたＡ接点出力回路５２，Ｂ接点出力回路５４それぞれが所定パターンで接点を開放または閉鎖させることで、この出力回路５０の動作状態が報知状態へと変更される。こうして、ユーザに対して、無線信号の信号レベルがアラームしきい値以上となっている旨を報知している。
【００９６】
また、このｓ４９０では、該当するログテーブルに登録されている「報知タイミング」のうち、直前に行われたｓ４００にて切り替えが指令された周波数に対応する「報知タイミング」として、「報知を開始」した旨を登録する処理と、が併せて行われる。
【００９７】
また、上述したｓ４８０で、変数Ｎの値が、「ａｌａｒｍ＿ｏｎ＿ｃｏｕｎｔ」の値以上ではないと判定された場合（ｓ４８０：ＮＯ）、ｓ５００，ｓ５１０が行われることなく、次の処理（ｓ５１０）へとプロセスが移行する。
【００９８】
次に、ｓ３７０にて抽出されたサーチ情報の「サーチバンク設定セッション」における「電源ＯＦＦ」が、電源をオフにすべき旨の内容（ＯＦＦ）であるか否かがチェックされる（ｓ５１０）。
【００９９】
このｓ５１０で、「電源ＯＦＦ」が電源をオフにすべき旨の内容（ＯＦＦ）であると判定された場合（ｓ５１０：ＹＥＳ）、電源ＬＥＤ４４のランプが点滅を開始する（ｓ５２０）。ここでは、マイコン３０から電源ＬＥＤ４４に対してランプを点滅させるべき旨の指令がなされ、この指令を受けた電源ＬＥＤ４４が駆動回路によりランプを点滅させる。
【０１００】
こうして電源ＬＥＤ４４のランプが点滅を開始した後、所定時間（例えば、４ｓ）だけ待機状態となり（ｓ５３０）、ユーザは、この間に、本無線検知処理を終了すべきと考えている場合であれば、電源スイッチ８２を操作して本無線検知器２の動作を終了させるといった作業を行うこととなる。こうして、ｓ５２０にてランプが点滅を開始した以降、所定時間が経過するまでの間に、電源スイッチ８２が操作されると、本無線検知器２の動作終了に伴って本無線検知処理が終了する。
【０１０１】
その一方、上述したｓ５３０で、電源スイッチ８２が操作されることなく所定期間が経過したら、ｓ５２０にて点滅を開始した電源ＬＥＤ４４のランプが消灯する（ｓ５４０）。このｓ５４０では、マイコン３０から電源ＬＥＤ４４に対してランプを消灯すべき旨の指令がなされ、この指令を受けた電源ＬＥＤ４４が駆動回路によりランプを消灯させる。
【０１０２】
そして、上記変数Ｆにｓ３７０にて抽出されたサーチ情報の「ステップ周波数」が加算されたうえで（ｓ５５０）、プロセスがｓ３９０へ戻る。
こうして、プロセスがｓ３９０へ戻った以降は、変数Ｆの値が上限周波数に到達するまで、この時点における変数Ｆにセットされた周波数に基づいてｓ３９０〜ｓ５４０が行われた後、ｓ５５０にて変数Ｆにステップ周波数が加算されたうえでプロセスがｓ３９０へ戻る、といった処理が繰り返される。つまり、周波数の切り替えが、サーチ情報の「下限周波数」から「上限周波数」までの周波数帯域について、「ステップ周波数」毎に昇順で行われることになる。
【０１０３】
このｓ３９０〜ｓ５４０が繰り返される過程においては、信号レベルが「ａｌａｒｍ＿ｏｎ＿ｃｏｕｎｔ」の値だけ、連続してアラームしきい値以上となった場合に報知が行われ（図１２における「Ａｌａｒｍ  ＯＮ」参照）、信号レベルがアラームしきい値未満となった際にその報知が終了することとなる（同図「Ａｌａｒｍ  ＯＦＦ」参照）。
【０１０４】
そして、変数Ｆの値が上限周波数に到達するまでｓ３９０〜ｓ５５０が繰り返されると、ｓ３９０でサーチ情報に基づく全ての周波数への切り替えが終了していると判定され（ｓ３９０：ＹＥＳ）、プロセスがｓ３６０へ戻る。
【０１０５】
こうして、プロセスがｓ３６０へ戻った以降は、未処理のサーチ情報それぞれについて、ｓ３７０〜ｓ５５０が行われ、全てのサーチ情報についての処理が行われると、ｓ３６０で未処理のサーチ情報が存在していないと判定され（ｓ３６０：ＮＯ）、本無線検知処理が終了する。
（２−３）作用，効果
このように構成された無線検知器２によれば、第１実施形態と同様の構成により得られる作用，効果の他、次に示すような作用，効果を得ることができる。
【０１０６】
例えば、上記無線検知器２では、ＲＦモジュール１０により受信される無線信号の周波数をマイコン３０からの指令により順次切り替えることができるため、それら周波数の信号が受信されたか否かを効率的にチェックすることができる。そして、切り替えられる周波数それぞれにつき、受信部で受信される無線信号の信号レベルがワーニングしきい値以上である場合には、その旨を図１１のｓ４９０にて報知することができる。この報知により、ユーザによる盗撮や盗聴の効率的な発見を補助することができる。
【０１０７】
また、上記実施形態においては、周波数の切り替えが、サーチ情報の「下限周波数」から「上限周波数」までの周波数帯域について昇順で行われるように構成されている。そのため、複数種類の周波数の無線信号それぞれが、アラームしきい値以上の信号レベルにて受信されているか否かを、特定の周波数帯域について昇順でチェックすることができる。
【０１０８】
また、上記実施形態では、図１１のｓ３９０〜ｓ５４０が繰り返される過程において、信号レベルが「ａｌａｒｍ＿ｏｎ＿ｃｏｕｎｔ」の値だけ、連続してアラームしきい値以上となった場合に警告を行うことができる。
【０１０９】
また、図１１のｓ４３０〜ｓ４６０では、同図ｓ４００にて周波数の切り替えが順次行われる過程において、ｓ４１０にて取得した検出結果で示される信号レベルがアラームしきい値以上である場合に変数Ｎをインクリメントし、その信号レベルがアラームしきい値未満であってワーニングしきい値以上である場合に変数Ｎのカウントを行わず、また、その信号レベルがワーニングしきい値未満である場合に変数Ｎを初期化している。
【０１１０】
そのため、同図ｓ４１０にて取得した検出結果で示される信号レベルがアラームしきい値よりも小さな信号レベルであっても、その信号レベルがワーニングしきい値以上であれば、変数Ｎのインクリメントがやり直されてしまうことがない。
【０１１１】
そして、このワーニングしきい値は、アラームしきい値の信号が何らかの外乱で小さい信号レベルとなってしまう場合におけるその信号レベルとして想定される値であるため、そのような外乱の影響を抑えて、所定の周波数帯域の無線信号においてその信号レベルがアラームしきい値以上である旨を報知できなくなってしまうことを防止できる。
【０１１２】
また、上記実施形態においては、設定データに複数のサーチ情報が含まれており、各サーチ情報に基づいて同図ｓ４００による周波数の切り替え，同図ｓ４２０による検出結果の取得，同図ｓ４９０による報知を、繰り返し実行するように構成されている（同図ｓ３６０〜ｓ５５０）。
【０１１３】
そのため、各サーチ情報で規定された複数種類の周波数帯域それぞれについて、その周波数帯域を複数に分割した場合における各周波数それぞれへの切り替えだけでなく、検出結果に基づく信号レベルの特定，および，信号レベルがアラームしきい値以上である旨の報知を繰り返し実施することができる。
（２−４）変形例
以上、本発明の実施の形態について説明したが、本発明は、上記実施形態に何ら限定されることはなく、本発明の技術的範囲に属する限り種々の形態をとり得ることはいうまでもない。
【０１１４】
例えば、上記実施形態において、図１１のｓ４９０において変更される各ＬＥＤ部および出力回路５０の動作状態については、任意の状態を設定できるように構成してもよい。
このためには、例えば、メモリ９２に上記動作状態を示す状態データを記憶しておき、この状態データを読み出すと共に、この状態データで示される動作状態を同図ｓ４９０にて変更すべき動作状態として設定する、といった処理を、同図ｓ３１０にて初期化処理の一環として実行するように構成すればよい。
【０１１５】
ここでいう「動作状態」とは、警報ＬＥＤ４２におけるランプの点灯を行うか否か、警報ＬＥＤ４２におけるランプをどのようなパターンで点灯させるか、出力回路５０それぞれを作動させるか否か、出力回路５０それぞれをどのようなパターンで作動させるか、ランプをどのような条件の下に消灯させるか、出力回路５０の動作をどのような条件の下に終了させるか、といったことである。
【０１１６】
これらのうち、点灯または作動のパターンとは、ランプであれば、点灯または点滅（明滅それぞれの時間を含む）のことであり、出力回路５０であれば、継続的に動作させるのか断続的に動作させるのか（動作時間を含む）といったことである。
【０１１７】
また、消灯または動作を終了させる条件とは、上記実施形態と同様に信号レベルがアラームしきい値未満となったことの他、ｓ４９０にて点灯または作動させてから所定の時間が経過したことや、信号レベルがアラームしきい値未満となってから所定の時間が経過したことなどが考えられる。
【０１１８】
このような経過時間を条件とする場合には、ｓ５００による所定時間を消灯または終了させるまでの経過時間とし、このｓ５００の後で消灯または終了させるための処理を行ってからｓ５１０へ移行する、または、ｓ４５０で「ＮＯ」と判定されてから上記経過時間だけ待機したあとでｓ４７０へ移行する、ように構成すればよい。
【０１１９】
なお、ｓ４９０で警報ＬＥＤのランプ４２を常に点灯させることを前提に、出力回路５０を作動させるパターン（ａｌａｒｍ＿ｏｎ＿ｔｙｐｅ）、出力回路５０の動作を終了させる条件としての経過時間（ａｌａｒｍ＿ｏｎ＿ｔｉｍｅ）、出力回路５０の動作を終了させるおよびランプを消灯させるパターン（ａｌａｒｍ＿ｏｆｆ＿ｔｙｐｅ）、出力回路５０の動作を終了させるおよびランプを消灯させる条件としての経過時間（ａｌａｒｍ＿ｏｆｆ＿ｔｉｍｅ）を任意に設定できることとした場合の状態データを以下に示す。また、この場合における状態データの具体的なデータ構造を図１３（ａ）に示し、各状態の設定パターン（１〜５）を図１３（ｂ）に示す。
・ａｌａｒｍ＿ｏｎ＿ｔｙｐｅ：出力回路５０を作動させるパターンを継続的（０）なものとするか、断続的な所定回数のパルス状（１）のものとするか
・ａｌａｒｍ＿ｏｎ＿ｔｉｍｅ：出力回路５０を作動させるパルスのＯＮ時間
・ａｌａｒｍ＿ｏｆｆ＿ｔｙｐｅ：経過時間で消灯および終了させるのか（０）、ｓ４７０にて消灯および終了させるのか（１）
・ａｌａｒｍ＿ｏｆｆ＿ｔｉｍｅ：経過時間で消灯および終了させる場合の具体的な経過時間
また、上記実施形態においては、ＲＦモジュール１０に対する周波数の切り替えが、無線検知処理（図１１）にてマイコン３０により随時指令されるように構成されたものを例示した。しかし、このような周波数の切り替えについては、マイコン３０からのサーチ情報の提供を受けたＲＦモジュール１０が自主的に行い、その都度、検出結果をマイコン３０に通知するように構成してもよい。
【０１２０】
この場合、ｓ３７０でサーチ情報を抽出した後、図１４に示すように、このサーチ情報をＲＦモジュール１０に出力し（ｓ３７２）、それ以降、そのサーチ情報に基づく全ての検出結果が取得されるまで（ｓ３７４：ＮＯ）、ＲＦモジュール１０から随時通知されてくる検出結果を待ちつつ（ｓ３７６）、そうして随時通知されてくる検出結果に基づくｓ４１０〜ｓ５００を繰り返し行い、そのサーチ情報に基づく全ての検出結果が取得されたら（ｓ３７４：ＹＥＳ）、ｓ３６０へ戻るように構成すればよい。
【０１２１】
また、設定ファイルから抽出したサーチ情報だけでなく、この設定ファイルにおける全てのサーチ情報を一括してＲＦモジュール１０に出力して、サーチ情報の抽出についてもＲＦモジュール１０側で行われるように構成してもよい。
【０１２２】
また、上記実施形態においては、ｓ３６０で「ＮＯ」と判定された場合に、無線検知処理を終了するように構成されたものを例示したが、こうして「ＮＯ」と判定された場合には、プロセスがｓ３１０またはｓ３２０へと戻るように構成し、常時無線信号の検知を行うようにしてもよい。
【０１２３】
また、上記実施形態では、上述した無線検知処理（図１１）が、メモリ９２に記憶されたプログラムを読み出したうえで実行されるように構成されたものを例示した。しかし、この無線検知処理は、マイコン３０の内蔵メモリに記憶されたプログラムに従って実行されるように構成してもよい。
【０１２４】
また、上記実施形態では、図１１のｓ４００〜ｓ４９０において随時ログテーブルへのパラメータの登録が行われるように構成されたものを例示した。しかし、これら処理では、ログテーブルへの登録を行わず、または、ログテーブルへの登録と併せて、各パラメータを、通信部６０を介して外部へと出力するように構成してもよい。
【０１２５】
なお、この場合には、ログテーブルへの登録およびパラメータの外部への出力をするか否かをあらかじめ設定できるように構成してもよい。具体的には、登録および出力を行うか否かを示すデータをメモリ９２に実施データとして記憶しておき、この実施データを読み出すと共にその内容に基づいて、ログテーブルへの登録およびパラメータの外部への出力を行うか否かを設定する、といった処理を、図１１のｓ３１０にて初期化処理の一環として実行するといった構成とすることが考えられる。この場合、ｓ４００〜ｓ４９０では、その設定内容に応じてログテーブルへの登録およびパラメータの外部への出力のうち、いずれか一方または両方を実施するように構成すればよい。
【０１２６】
また、上記実施形態においては、周波数の切り替えが、サーチ情報の「下限周波数」から「上限周波数」までの周波数帯域について昇順で行われるように構成されたものを例示した。しかし、この周波数の切り替えについては、「上限周波数」から「下限周波数」までの周波数帯域について「ステップ周波数」毎に降順で行われるように構成してもよい。このためには、例えば、サーチ情報を記述する際の規則を、「上限周波数」から「下限周波数」までの周波数帯域について「ステップ周波数」毎に降順で行われるように規定すればよい。
【０１２７】
また、上記実施形態においては、図１１のｓ３９０〜ｓ５４０が繰り返される過程において、信号レベルが「ａｌａｒｍ＿ｏｎ＿ｃｏｕｎｔ」の値だけ、連続してアラームしきい値以上となった場合に警告が行われるように構成されたものを例示した。しかし、このように連続しているか否かに拘わらず、信号レベルが「ａｌａｒｍ＿ｏｎ＿ｃｏｕｎｔ」の値だけ、アラームしきい値以上となった場合に警告が行われるように構成してもよい。
【０１２８】
このためには、図１１のｓ３７０の後で同図ｓ４４０と同様に変数Ｎを初期化してから同図ｓ３８０へ移行するようにし、また、同図ｓ４４０で、ログテーブルに登録されている「しきい値関係」に「ワーニングしきい値未満」である旨を登録する処理のみが行われるように構成すればよい。
（２−５）本発明との対応関係
以上説明した実施形態において、アラームしきい値が本発明における第１しきい値であり、ワーニングしきい値が本発明における第２しきい値である。
【０１２９】
また、図１１のｓ３８０，ｓ４００，ｓ５５０は本発明における周波数切替手段であり、同図ｓ４１０は本発明におけるレベル特定手段であり、同図ｓ４９０は本発明における報知手段であり、同図ｓ４４０，ｓ４６０は本発明における回数カウント手段であり、同図ｓ３８０,ｓ３９０は本発明における繰り返し手段である。
【図面の簡単な説明】
【０１３０】
【図１】第１実施形態における無線検知器の全体構成を示すブロック図
【図２】第１実施形態における無線検知器が実装される筐体を示す四面図
【図３】第１実施形態における無線検知器の一般仕様を示す図（１／２）
【図４】第１実施形態における無線検知器の一般仕様を示す図（２／２）
【図５】第１実施形態における無線検知器の動作仕様を示す図
【図６】第１実施形態におけるマイコンにより実行される処理を示すフローチャート
【図７】第２実施形態における無線検知器の全体構成を示すブロック図
【図８】第２実施形態における設定ファイルのデータ構造を示す図
【図９】第２実施形態における無線検知器が実装される筐体を示す三面図
【図１０】第２実施形態における無線検知器の一般仕様を示す図
【図１１】第２実施形態における無線検知処理を示すフローチャート
【図１２】第２実施形態における無線検知処理での信号レベルの遷移状態を示すグラフ
【図１３】別の実施形態における状態データのデータ構造（ａ），および，状態データで示される各状態の設定パターンを示す表（ｂ）を示す図
【図１４】別の実施形態における無線検知処理を示すフローチャート
【符号の説明】
【０１３１】
１…無線検知器、２…無線検知器、１０…ＲＦモジュール、２０…フィルタ、３０…マイコン、４２…警報ＬＥＤ、４４…電源ＬＥＤ、４６…異常ＬＥＤ５０…出力回路、５２…Ａ接点出力回路、５４…Ｂ接点出力回路、５６…コネクタ、６０…通信部、６２…コネクタ、７０…設定スイッチ、８０…電源回路、８２…電源スイッチ、８４…コネクタ、９０…メディアドライブ、９２…メモリ、１１０…受信部、１２０…選局部、１３０…ＲＳＳＩ出力回路、１４０…検波部、１５０…ＲＦコントロール回路、２００…外部警告装置、３００…筐体、３１０…正面パネル、３１１〜３１９…孔、３２０…背面パネル、３２２〜３２８…孔。
【図１】
2007184898.tif 000003
【図３】
2007184898.tif 000004
【図４】
2007184898.tif 000005
【図５】
2007184898.tif 000006
【図６】
2007184898.tif 000007
【図７】
2007184898.tif 000008
【図９】
2007184898.tif 000009
【図１０】
2007184898.tif 000010
【図１１】
2007184898.tif 000011
【図１３】
2007184898.tif 000012
【図１４】
2007184898.tif 000013
【図２】
2007184898.tif 000014
【図８】
2007184898.tif 000015
【図１２】
2007184898.tif 000016